【事件の表示】
　平成　６年特許願第２９３９６３号「画像処理装置」拒絶査定不服審判事件〔平成　８年　５月２１日出願公開、特開平　８−１３０７４４〕について、次のとおり審決する。
【結　論】
　本件審判の請求は、成り立たない。
【理　由】
１．経緯等
（１）経緯
　本件出願は、平成６年１１月２日の出願であって、平成１６年１０月２５日付けで手続補正がなされたが、平成１７年５月２５日付けで拒絶査定がなされたものである。 
　本件は、上記拒絶査定を不服として平成１７年６月２７日付けで請求された拒絶査定不服審判であって、平成１７年７月２６日付けで手続補正（明細書又は図面について請求の日から３０日以内にする補正）がなされたものである。 
　
（２）査定
　拒絶査定の理由は、概略次のようなものである。
　
　本件出願の請求項１から９に係る発明は、その出願前日本国内において頒布された下記刊行物に記載された発明に基づいて、その出願前にその発明の属する技術の分野における通常の知識を有する者が容易に発明をすることができたものであるから、特許法第２９条第２項の規定により特許を受けることができない。
　　　　　　　　　　　　　　　記
　刊行物１：特開平５−３２８１８５号公報
　刊行物２：特開昭６３−４８０８８号公報
　刊行物３：特開平２−２１７０８６号公報
　刊行物４：特開平６−１７８２７７号公報
　
２．補正却下の決定
　平成１７年７月２６日付けの手続補正について次のとおり決定する。
　
〈補正却下の決定の結論〉
　平成１７年７月２６日付けの手続補正を却下する。
　
〈補正却下の決定の理由〉
（１）補正の内容
　平成１７年７月２６日付けの手続補正（以下、本件補正という）は、請求項１についてする次の補正事項を含むものである。
　
「【請求項１】
　第１の画質を有する第１の画像信号を当該第１の画質よりも高画質な画質を有する第２の画像信号にする画像処理装置において、
　上記第２の画像信号中の注目画素の周辺の上記第１の画像信号中の複数画素からなる所定のブロツク毎に空間方向の諧調レベルの分布のパターンを検出し、当該検出パターンに基づいた演算によつて、上記ブロツクが属するクラスを決定してクラス検出情報を出力するクラス検出手段と、
　上記第１の画像信号に含まれない信号画素である上記注目画素を上記第１の画像信号から推定するための予測係数が上記クラス毎に記憶され、上記クラス検出手段からの上記クラス検出情報に応じて、上記予測係数を出力する予測係数記憶手段と、
　上記予測係数記憶手段から出力された上記予測係数と各上記ブロツク内の上記第１の画像信号とを線形結合することで上記注目画素を推定して上記第２の画像信号を形成する予測演算手段と
　を具え、
　上記予測係数記憶手段は、任意読み書き可能なメモリを用いて構成される
　ことを特徴とする画像処理装置。」（補正前）
を、
「【請求項１】
　第１の画質を有する第１の画像データを当該第１の画質よりも高画質な第２の画質を有する第２の画像データにする画像処理装置において、
　上記第２の画像データ中の注目画素の周辺の上記第１の画像データ中の複数画素からなる所定のブロツク毎に空間方向の諧調レベルの分布のパターンを検出し、当該検出パターンに基づいた演算によつて、上記ブロツクが属するクラスを決定してクラス検出情報を出力するクラス検出手段と、
　上記第１の画像データに含まれない画素である上記注目画素を上記第１の画像データから推定するための予測係数が上記クラス毎に記憶され、上記クラス検出手段からの上記クラス検出情報に応じて、上記予測係数を出力する予測係数記憶手段と、
　上記予測係数記憶手段から出力された上記予測係数と各上記ブロツク内の上記第１の画像データとを線形結合することで上記注目画素を推定して上記第２の画像データを形成する予測演算手段と
　を具え、
　上記予測係数記憶手段は、任意読み書き可能なメモリを用いて構成され、変換対象データである上記第１及び第２の画像データの画質に応じて、上記予測係数記憶手段に記憶されている上記予測係数を、他の記録媒体に予め記憶され上記変換対象データの画質に応じた予測係数に書き換え、
　上記予測係数は、上記第２の画質の画像データに含まれ上記第１の画質の画像データに含まれない画素を注目画素として、当該注目画素を当該注目画素周辺の上記第１の画質の画像データに含まれる複数の画素との線形結合によつて表し、上記第１の画質の画像データと上記第２の画質の画像データとの間でクラス毎に最小２乗法の演算を行うことによる学習によつて予め求められている
　ことを特徴とする画像処理装置。」（補正後）
と補正する。
　上記請求項１についてする補正は、「画像信号」（補正前）を「画像データ」（補正後）とし、「信号画素」（補正前）を「画素」（補正後）とし、「変換対象データである上記第１及び第２の画像データの画質に応じて、上記予測係数記憶手段に記憶されている上記予測係数を、他の記録媒体に予め記憶され上記変換対象データの画質に応じた予測係数に書き換え、
　上記予測係数は、上記第２の画質の画像データに含まれ上記第１の画質の画像データに含まれない画素を注目画素として、当該注目画素を当該注目画素周辺の上記第１の画質の画像データに含まれる複数の画素との線形結合によつて表し、上記第１の画質の画像データと上記第２の画質の画像データとの間でクラス毎に最小２乗法の演算を行うことによる学習によつて予め求められている」ことを追加するものである。
　
（２）補正の範囲
　上記請求項１についてする補正は、本件出願の願書に最初に添付した明細書又は図面に記載した事項の範囲内においてする補正である。
　
（３）補正の目的
　上記請求項１についてする補正のうち、「信号画素」（補正前）を「画素」（補正後）とする補正は、誤記の訂正を目的とする補正であり、「画像信号」（補正前）を「画像データ」（補正後）とする補正、および、「変換対象データである上記第１及び第２の画像データの画質に応じて、上記予測係数記憶手段に記憶されている上記予測係数を、他の記録媒体に予め記憶され上記変換対象データの画質に応じた予測係数に書き換え、
　上記予測係数は、上記第２の画質の画像データに含まれ上記第１の画質の画像データに含まれない画素を注目画素として、当該注目画素を当該注目画素周辺の上記第１の画質の画像データに含まれる複数の画素との線形結合によつて表し、上記第１の画質の画像データと上記第２の画質の画像データとの間でクラス毎に最小２乗法の演算を行うことによる学習によつて予め求められている」ことを追加する補正は、特許請求の範囲の減縮を目的とする補正である。
　
（４）独立特許要件
　上記請求項１についてする補正が特許請求の範囲の減縮を目的としているので、独立特許要件について検討する。
　
　ア．補正後発明
　本件補正後の特許請求の範囲の請求項１に係る発明（以下、補正後発明という）は、本件補正後の特許請求の範囲の請求項１に記載された次のところにある。
　
［補正後発明］
「第１の画質を有する第１の画像データを当該第１の画質よりも高画質な第２の画質を有する第２の画像データにする画像処理装置において、
　上記第２の画像データ中の注目画素の周辺の上記第１の画像データ中の複数画素からなる所定のブロツク毎に空間方向の諧調レベルの分布のパターンを検出し、当該検出パターンに基づいた演算によつて、上記ブロツクが属するクラスを決定してクラス検出情報を出力するクラス検出手段と、
　上記第１の画像データに含まれない画素である上記注目画素を上記第１の画像データから推定するための予測係数が上記クラス毎に記憶され、上記クラス検出手段からの上記クラス検出情報に応じて、上記予測係数を出力する予測係数記憶手段と、
　上記予測係数記憶手段から出力された上記予測係数と各上記ブロツク内の上記第１の画像データとを線形結合することで上記注目画素を推定して上記第２の画像データを形成する予測演算手段と
　を具え、
　上記予測係数記憶手段は、任意読み書き可能なメモリを用いて構成され、変換対象データである上記第１及び第２の画像データの画質に応じて、上記予測係数記憶手段に記憶されている上記予測係数を、他の記録媒体に予め記憶され上記変換対象データの画質に応じた予測係数に書き換え、
　上記予測係数は、上記第２の画質の画像データに含まれ上記第１の画質の画像データに含まれない画素を注目画素として、当該注目画素を当該注目画素周辺の上記第１の画質の画像データに含まれる複数の画素との線形結合によつて表し、上記第１の画質の画像データと上記第２の画質の画像データとの間でクラス毎に最小２乗法の演算を行うことによる学習によつて予め求められている
　ことを特徴とする画像処理装置。」
　
　イ．刊行物
　特開平５−３２８１８５号公報（以下、刊行物１という）には、図面と共に次の記載がある。
　
（刊行物１の記載）
【０００１】
【産業上の利用分野】この発明は、データ圧縮における間引き画素の補間、標準解像度のテレビジョン信号を高解像度のテレビジョン信号に変換するアップコンバージョン等に適用可能なディジタルデータの変換装置および方法に関する。
【０００２】
【従来の技術】標準解像度あるいは低解像度（これらをＳＤと略称する）画像を高解像度（ＨＤと略称する）画像に変換するアップコンバージョン、電子ズーム、または画像の拡大においては、補間フィルタによって、不足している画素のデータを補償することがなされている。さらに、伝送データ量を圧縮するために、サブサンプリングによって画素を間引き、受信側でこの間引き画素を補間フィルタによって補間することがなされている。
　
【０００８】
【実施例】以下、この発明の一実施例について説明する。この一実施例は、間引き圧縮されたデータを伝送し、受信側で間引き画素を復元するものである。図１は、かかかる伝送システムを全体的に示す。図１中で、１は、伝送すべきディジタルビデオデータの入力端子である。
【０００９】入力ディジタルビデオデータがサブサンプリング回路２に供給され、水平方向に一つおきの画素データが間引かれる。図２に示すように、元の画素の配列で×で示す画素が間引き画素を示している。従って、この間引き処理によって、伝送する必要があるデータ量が半分に減少する。
　
【００１２】受信データが入力端子７から受信処理回路８に供給される。受信処理回路８は、チャンネル符号化の復号、フレーム分解、エラー訂正等の処理を行なう。受信処理回路８の出力が高能率符号化のデコーダ９に供給される。デコーダ９の復号出力が合成回路１０および同時化回路１１に供給される。
【００１３】同時化回路１１は、図２に示すように、補間すべき間引き画素ｘの上下左右に位置する伝送画素データａ、ｂ、ｃ、ｄを同時にクラスタリング回路１２および補間データ作成回路１４に対して出力する。クラスタリング回路１２からの出力データ、すなわち、クラス情報がメモリ１３にアドレス信号として供給される。
【００１４】このメモリ１３には、後述のように形成されたデータ変換用のマッピング表が格納されている。この例では、メモリ１３には、データ変換のための複数のパラメータを含むマッピング表が格納されている。クラスタリング回路１２の出力データと対応するアドレスから読み出されたパラメータが補間データ作成回路１４に供給される。補間データ作成回路１４は、同時化回路１１からの伝送画素データａ、ｂ、ｃ、ｄとメモリ１４からのパラメータｗ１、ｗ２、ｗ３、ｗ４とを使用して、
ｘ＝ｗ１ａ＋ｗ２ｂ＋ｗ３ｃ＋ｗ４ｄ
の演算によって補間データｘを形成する。
【００１５】この補間データｘが合成回路１０に供給される。合成回路１０は、伝送画素が存在する時にデコーダ９の出力を選択し、間引き画素の位置では、補間データ作成回路１４からの補間データを選択する。従って、合成回路１０の出力端子１５には、受信データと対応する復号ビデオデータが得られる。
【００１６】メモリ１３には、トレーニングによって予め作成されたマッピング表が格納されている。図３は、マッピング表を作成するための構成を示す。図３において、２１には、ディジタルビデオ信号が供給され、これが同時化回路２２に供給される。このディジタルビデオ信号は、マッピング表の作成を考慮した標準的な信号であることが好ましく、例えば種々の絵柄の静止画像からなる信号を採用できる。図２に示すように、同時化回路２２は、注目画素のデータｘとその上下左右の画素データａ、ｂ、ｃ、ｄとを同時にデータメモリ２３およびクラスタリング回路２４に供給する。但し、図３に示すトレーニング時では、注目画素ｘに関しては、間引きされておらず、実際の値が存在している。
【００１７】クラスタリング回路２４は、図１のクラスタリング回路１２と同様に、画素データをクラスタリングし、クラス情報を発生する。クラスタリングとしては、階調によるクラスタリング、パターンによるクラスタリング等を使用できる。階調を使用する時には、画素データが８ビットであると、クラスの個数が極めて多くなるので、各画素のビット数をＡＤＲＣ等の高能率符号化で減少させることが好ましい。パターンを使用する時には、４画素で構成される複数のパターン（例えば平坦、右上に値が上昇、右下に値が減少、等）を用意し、同時化回路２２の出力データを複数のパターンのいずれかにクラス分けする。
　
【００１９】データメモリ２３には、クラス情報であるアドレスに対して、画素データａ、ｂ、ｃ、ｄおよびｘのサンプル値が書き込まれる。例えばデータメモリ２３のあるアドレスＡＤ０には、画素データａに関して（ａ10、ａ20、・・・、ａn0）、画素データｂに関して（ｂ10、ｂ20、・・・、ｂn0）、画素データｃに関して（ｃ10、ｃ20、・・・、ｃn0）、画素データｄに関して（ｄ10、ｄ20、・・・、ｄn0）、画素データｘに関して（ｘ10、ｘ20、・・・、ｘn0）が蓄えられる。クラスタリング回路２４からの他のアドレスについても、同様に画素データがデータメモリ２３に蓄えられる。
【００２０】次に、スイッチング回路２５が入力端子２５ａから２５ｂに切り換えられ、データメモリ２３の内容がカウンタ２６からのアドレスによって順次読み出される。データメモリ２３の読み出し出力が最小自乗法の演算回路２７に供給される。演算回路２７は、最小自乗法によって、誤差を最小とするパラメータｗ１〜ｗ４を求めるものである。
【００２１】一つのアドレスに注目すると、このアドレスに関しては、下記の連立方程式が成り立つ。
ｘ１＝ｗ１ａ１＋ｗ２ｂ１＋ｗ３ｃ１＋ｗ４ｄ１
ｘ２＝ｗ１ａ２＋ｗ２ｂ２＋ｗ３ｃ２＋ｗ４ｄ２
・
・
・
ｘｎ＝ｗ１ａｎ＋ｗ２ｂｎ＋ｗ３ｃｎ＋ｗ４ｄｎ
【００２２】ここで、ｘ１〜ｘｎ、ａ１〜ａｎ、ｂ１〜ｂｎ、ｃ１〜ｃｎ、ｄ１〜ｄｎが既知であるので、ｘ１〜ｘｎ（実際の値）に対する誤差の自乗を最小とするようなパラメータｗ１〜ｗ４が求められる。他のアドレスについても同様である。
【００２３】演算回路２７で求められたパラメータｗ１〜ｗ４がメモリ２８に書き込まれる。このメモリ２８に書き込まれているマッピング表が図１のメモリ１３に対して記憶される。従って、図１の構成において、間引き画素であるｘの値がメモリ１３から出力されるパラメータｗ１〜ｗ４を使用して補間データ作成回路１４で形成できる。
　
【００３６】なお、上述の一実施例は、ＳＤビデオ信号をＨＤビデオ信号にアップコンバージョンする例であるが、これ以外に、画像の拡大に対しても、この発明は、同様に適用できる。
【００３７】
【発明の効果】この発明によれば、間引き方式で伝送されたデータを受信し、間引き画素を解像度の劣化を殆ど伴わずに補間することができる。画像を拡大するときに不足する画素データを補間する場合にも、同様にこの発明を適用できる。また、標準解像度のビデオ信号を高解像度のビデオ信号に変換し、高解像度の画像をモニタに表示できる。
（以上、刊行物１の記載）
　
　ウ．対比
　補正後発明と刊行物１に記載された発明（以下、刊行物１発明という）とを対比する。
　
（ア）（画像処理装置）
　刊行物１記載のデコーダ９（図１のＤＥＣ（９））の復号出力は、図２で×で示す画素が間引かれたデータ（図２で○で示す画素のみのデータ）である。このデコーダ９の復号出力は、同時化回路１１（図１の同時化（１１））、クラスタリング回路１２（図１のクラスタリング（１２））、メモリ１３（図１のメモリ（１３））、補間データ作成回路１４（図１の補間データ作成（１４））、合成回路（図１の合成（１０））を介して復号ビデオデータとされ、出力端子１５に得られる。この出力端子１５に得られる復号ビデオデータは、デコーダ９の復号出力（図２で○で示す画素のみのデータ）にに対して、間引き画素の位置（図２で×で示す位置）に補間データ作成回路１４からの補間データｘを選択することで得られるデータであり、図２で○で示す画素のデータ及び×で示す画素のデータの全てを有するデータである。
　一般に画像データは画素の数が多いほど「高画質な画質を有する画像データ」といえるから、刊行物１で、○で示す画素のみのデータであるデコーダ９の復号出力を、○で示す画素のデータ及び×で示す画素のデータの全てを有するデータである出力端子１５に得られる復号ビデオデータとすることは、ある画質を有する画像データをそれよりも高画質な画質を有する画像データとしているということができる。
　そうすると、刊行物１発明は補正後発明の「第１の画質を有する第１の画像データを当該第１の画質よりも高画質な第２の画質を有する第２の画像データにする」構成を有しているといえ、補正後発明と刊行物１発明とは「第１の画質を有する第１の画像データを当該第１の画質よりも高画質な第２の画質を有する第２の画像データにする画像処理装置」である点で一致する。
　
（イ）（クラス検出手段）
　刊行物１記載のクラスタリング回路１２は、同時化回路１１から、補間すべき間引き画素ｘの上下左右に位置する伝送画素データａ、ｂ、ｃ、ｄを同時に受け、クラス情報をメモリ１３にアドレス信号として供給する。
　刊行物１には、クラスタリング回路２４（図３のクラスタリング（２４））について、「図１のクラスタリング回路１２と同様」（【００１７】）として、「クラスタリングとしては、階調によるクラスタリング、パターンによるクラスタリング等を使用できる。階調を使用する時には、画素データが８ビットであると、クラスの個数が極めて多くなるので、各画素のビット数をＡＤＲＣ等の高能率符号化で減少させることが好ましい。パターンを使用する時には、４画素で構成される複数のパターン（例えば平坦、右上に値が上昇、右下に値が減少、等）を用意し、同時化回路２２の出力データを複数のパターンのいずれかにクラス分けする。」（【００１７】）とあり、クラスタリング回路１２もクラスタリング回路２４同様にしてクラス分けしてクラス情報を供給するものである。
　そして、このクラスタリングは「注目画素のデータｘとその上下左右の画素データａ、ｂ、ｃ、ｄとを同時に」「供給」（【００１６】）されてなされるものである。
　ここで、注目画素のデータｘの上下左右の画素データａ、ｂ、ｃ、ｄは、データｘを有する注目画素周辺の画素のデータであって、クラスタリング回路１２に供給されるデコーダ９の復号出力（図２で○で示す画素のみのデータ）のデータ中の画素である。そして、この上下左右の画素データａ、ｂ、ｃ、ｄは、個々の注目画素のデータｘに対して上下左右の画素データであり、注目画素毎の組となっており、ブロックをなすものということができる。
　そうすると、注目画素周辺の画素のデータである上下左右の画素データａ、ｂ、ｃ、ｄについて、上記のようにクラス分けを行う刊行物１記載の構成は、、補正後発明の「上記第２の画像データ中の注目画素の周辺の上記第１の画像データ中の複数画素からなる所定のブロツク毎に空間方向の諧調レベルの分布のパターンを検出し、当該検出パターンに基づいた演算によつて、上記ブロツクが属するクラスを決定してクラス検出情報を出力する」構成に相当するものであり、補正後発明と刊行物１発明とは、「上記第２の画像データ中の注目画素の周辺の上記第１の画像データ中の複数画素からなる所定のブロツク毎に空間方向の諧調レベルの分布のパターンを検出し、当該検出パターンに基づいた演算によつて、上記ブロツクが属するクラスを決定してクラス検出情報を出力するクラス検出手段」を有する点で一致する。
　
（ウ）（予測係数記憶手段）
　刊行物１記載のメモリ１３には、トレーニングによって予め作成されたマッピング表が格納されて（【００１６】）おり、このマッピング表は、図３を用いて説明されるのマッピング表を作成するための構成において、「演算回路２７で求められたパラメータｗ１〜ｗ４がメモリ２８に書き込まれる。このメモリ２８に書き込まれているマッピング表が図１のメモリ１３に対して記憶される。」（【００２３】）とあって、演算回路２７で求められたパラメータｗ１〜ｗ４である。
　「データメモリ２３には、クラス情報であるアドレスに対して、画素データａ、ｂ、ｃ、ｄおよびｘのサンプル値が書き込まれる。」（【００１９】）、「一つのアドレスに注目すると、このアドレスに関しては、下記の連立方程式が成り立つ。
ｘ１＝ｗ１ａ１＋ｗ２ｂ１＋ｗ３ｃ１＋ｗ４ｄ１
ｘ２＝ｗ１ａ２＋ｗ２ｂ２＋ｗ３ｃ２＋ｗ４ｄ２
・
・
・
ｘｎ＝ｗ１ａｎ＋ｗ２ｂｎ＋ｗ３ｃｎ＋ｗ４ｄｎ」（【００２１】）、「ここで、ｘ１〜ｘｎ、ａ１〜ａｎ、ｂ１〜ｂｎ、ｃ１〜ｃｎ、ｄ１〜ｄｎが既知であるので、ｘ１〜ｘｎ（実際の値）に対する誤差の自乗を最小とするようなパラメータｗ１〜ｗ４が求められる。他のアドレスについても同様である。」（【００２２】）とあるから、このパラメータｗ１〜ｗ４は、ａ、ｂ、ｃ、ｄからｘを求める係数であり、アドレス毎、つまり、クラス毎の係数である。そして、「従って、図１の構成において、間引き画素であるｘの値がメモリ１３から出力されるパラメータｗ１〜ｗ４を使用して補間データ作成回路１４で形成できる。」（【００２３】）のであって、パラメータｗ１〜ｗ４は、間引き画素であるｘの値をａ、ｂ、ｃ、ｄから予測する係数ということができる。
　そうすると、トレーニングによって予め作成されたマッピング表を格納する刊行物１記載のメモリ１３は、補正後発明の「上記第１の画像データに含まれない画素である上記注目画素を上記第１の画像データから推定するための予測係数が上記クラス毎に記憶され、上記クラス検出手段からの上記クラス検出情報に応じて、上記予測係数を出力する予測係数記憶手段」に相当するものといえ、補正後発明と刊行物１発明とは「上記第１の画像データに含まれない画素である上記注目画素を上記第１の画像データから推定するための予測係数が上記クラス毎に記憶され、上記クラス検出手段からの上記クラス検出情報に応じて、上記予測係数を出力する予測係数記憶手段」を有する点で一致する。
　
（エ）（予測演算手段）
　刊行物１記載の補間データ作成回路１４は、「補間データ作成回路１４は、同時化回路１１からの伝送画素データａ、ｂ、ｃ、ｄとメモリ１４からのパラメータｗ１、ｗ２、ｗ３、ｗ４とを使用して、
ｘ＝ｗ１ａ＋ｗ２ｂ＋ｗ３ｃ＋ｗ４ｄ
の演算によって補間データｘを形成する。」（【００１４】）とあって、このｘ＝ｗ１ａ＋ｗ２ｂ＋ｗ３ｃ＋ｗ４ｄは線形結合であるから、補正後発明の「上記予測係数記憶手段から出力された上記予測係数と各上記ブロツク内の上記第１の画像データとを線形結合することで上記注目画素を推定して上記第２の画像データを形成する予測演算手段」に相当する。そうすると、補正後発明と刊行物１発明とは「上記予測係数記憶手段から出力された上記予測係数と各上記ブロツク内の上記第１の画像データとを線形結合することで上記注目画素を推定して上記第２の画像データを形成する予測演算手段」を有する点で一致する。
　
（オ）（メモリ）
　補正後発明は、「上記予測係数記憶手段は、任意読み書き可能なメモリを用いて構成され、変換対象データである上記第１及び第２の画像データの画質に応じて、上記予測係数記憶手段に記憶されている上記予測係数を、他の記録媒体に予め記憶され上記変換対象データの画質に応じた予測係数に書き換え、」と特定している。
　刊行物１において「メモリ２８に書き込まれているマッピング表が図１のメモリ１３に対して記憶される。」（【００２３】）、「メモリ１３から出力されるパラメータｗ１〜ｗ４を使用して」（【００２３】）いるのであるから、刊行物１記載のメモリ１３は「読み書き可能なメモリ」ということができる。そして、このマッピング表のパラメータｗ１〜ｗ４は、これを用いてデータｘを得るのであるから、当然に、変換前の図２で○で示す画素のみのデータの画質と変換後の図２で×で示す画素のデータを加えられたデータの画質とに応じたものであるといえ、「変換対象データである上記第１及び第２の画像データの画質に応じ」た予測計数が書き込まれているといえる。
　しかしながら、刊行物１では、メモリ１３のマッピング表は「メモリ２８に書き込まれているマッピング表が図１のメモリ１３に対して記憶される。」（【００２３】）という以外に、どのように格納されるのか記載されていない。特に、書き換えることは記載されていない。
　したがって、補正後発明と刊行物１発明とは、「予測係数記憶手段は、読み書き可能なメモリを用いて構成され」る点で一致し、補正後発明では、予測係数記憶手段が「任意」読み書き可能なメモリであって、「変換対象データである上記第１及び第２の画像データの画質に応じて、上記予測係数記憶手段に記憶されている上記予測係数を、他の記録媒体に予め記憶され上記変換対象データの画質に応じた予測係数に書き換え」ることに対し、刊行物１発明は、そのような構成を有していない点で相違する。
　
（カ）（予測係数）
　刊行物１記載のパラメータｗ１〜ｗ４は、図３に図示される構成で作成されるが、段落【００１９】から【００２３】の記載から、図２で×で示す画素に注目して、その×で示す画素をその周辺の図２で○で示す画素の線形結合で表し、サンプル値を基にクラス毎に誤差の自乗を最小にするようにして求められるのであり、これは、メモリ１３に格納される前に予め求められているものであるから、刊行物１には補正後発明の「上記予測係数は、上記第２の画質の画像データに含まれ上記第１の画質の画像データに含まれない画素を注目画素として、当該注目画素を当該注目画素周辺の上記第１の画質の画像データに含まれる複数の画素との線形結合によつて表し、上記第１の画質の画像データと上記第２の画質の画像データとの間でクラス毎に最小２乗法の演算を行うことによる学習によつて予め求められている」構成が記載されているといえる。したがって、補正後発明と刊行物１発明とは、「上記予測係数は、上記第２の画質の画像データに含まれ上記第１の画質の画像データに含まれない画素を注目画素として、当該注目画素を当該注目画素周辺の上記第１の画質の画像データに含まれる複数の画素との線形結合によつて表し、上記第１の画質の画像データと上記第２の画質の画像データとの間でクラス毎に最小２乗法の演算を行うことによる学習によつて予め求められている」点で一致する。
　
　エ．一致点、相違点
　上記対比によると、補正後発明と刊行物１発明との一致点、相違点は次のとおりである。
　
［一致点］
　第１の画質を有する第１の画像データを当該第１の画質よりも高画質な第２の画質を有する第２の画像データにする画像処理装置において、
　上記第２の画像データ中の注目画素の周辺の上記第１の画像データ中の複数画素からなる所定のブロツク毎に空間方向の諧調レベルの分布のパターンを検出し、当該検出パターンに基づいた演算によつて、上記ブロツクが属するクラスを決定してクラス検出情報を出力するクラス検出手段と、
　上記第１の画像データに含まれない画素である上記注目画素を上記第１の画像データから推定するための予測係数が上記クラス毎に記憶され、上記クラス検出手段からの上記クラス検出情報に応じて、上記予測係数を出力する予測係数記憶手段と、
　上記予測係数記憶手段から出力された上記予測係数と各上記ブロツク内の上記第１の画像データとを線形結合することで上記注目画素を推定して上記第２の画像データを形成する予測演算手段と
　を具え、
　上記予測係数記憶手段は、読み書き可能なメモリを用いて構成され、
　上記予測係数は、上記第２の画質の画像データに含まれ上記第１の画質の画像データに含まれない画素を注目画素として、当該注目画素を当該注目画素周辺の上記第１の画質の画像データに含まれる複数の画素との線形結合によつて表し、上記第１の画質の画像データと上記第２の画質の画像データとの間でクラス毎に最小２乗法の演算を行うことによる学習によつて予め求められている
　ことを特徴とする画像処理装置。
　
［相違点］
　補正後発明では、予測係数記憶手段が「任意」読み書き可能なメモリであって、「変換対象データである上記第１及び第２の画像データの画質に応じて、上記予測係数記憶手段に記憶されている上記予測係数を、他の記録媒体に予め記憶され上記変換対象データの画質に応じた予測係数に書き換え」ることに対し、刊行物１発明は、そのような構成を有していない点。
　
　オ．相違点の検討
　上記ウ．対比（オ）（メモリ）でも述べたように、刊行物１記載のマッピング表のパラメータｗ１〜ｗ４は「変換対象データである上記第１及び第２の画像データの画質に応じ」たものである。応じたものでなければ所望の変換データを得られないのであるから、「変換対象データである上記第１及び第２の画像データの画質に応じ」たものを格納するのは至極当然なことである。
　刊行物１には、
「【０００１】
【産業上の利用分野】この発明は、データ圧縮における間引き画素の補間、標準解像度のテレビジョン信号を高解像度のテレビジョン信号に変換するアップコンバージョン等に適用可能なディジタルデータの変換装置および方法に関する。
【０００２】
【従来の技術】標準解像度あるいは低解像度（これらをＳＤと略称する）画像を高解像度（ＨＤと略称する）画像に変換するアップコンバージョン、電子ズーム、または画像の拡大においては、補間フィルタによって、不足している画素のデータを補償することがなされている。さらに、伝送データ量を圧縮するために、サブサンプリングによって画素を間引き、受信側でこの間引き画素を補間フィルタによって補間することがなされている。
　
【００３６】なお、上述の一実施例は、ＳＤビデオ信号をＨＤビデオ信号にアップコンバージョンする例であるが、これ以外に、画像の拡大に対しても、この発明は、同様に適用できる。
【００３７】
【発明の効果】この発明によれば、間引き方式で伝送されたデータを受信し、間引き画素を解像度の劣化を殆ど伴わずに補間することができる。画像を拡大するときに不足する画素データを補間する場合にも、同様にこの発明を適用できる。また、標準解像度のビデオ信号を高解像度のビデオ信号に変換し、高解像度の画像をモニタに表示できる。」
とあって、刊行物１記載の技術が特定の画質のみに対応できるものとはしておらず、また、実施例においても特定の画質のみに対応できるものであるとする記載もないから、刊行物１記載の技術が、メモリ１３に格納されたパラメータを変えることによって、様々な変換対象の画質に対応できることは、当業者であれば容易に理解できることであり、刊行物１記載の技術を利用する際、自ら所望の変換対象の画質に対応させたパラメータを用意しておき、メモリ１３のデータを書き換えることで、異なる変換対象の画質に対応できるようにすることは、当業者であれば容易に想到できたことである。そして、その書き換えを具体化するにあたって、読み書き可能なメモリであるメモリ１３を「任意」読み書き可能なメモリとし、書き換える新たなデータを他の記録媒体に予め記憶させておくようにすることは、適宜になし得たことといえる。したがって、刊行物１発明の「読み書き可能なメモリ」を「任意」「読み書き可能なメモリ」とし、「変換対象データである上記第１及び第２の画像データの画質に応じて、上記予測係数記憶手段に記憶されている上記予測係数を、他の記録媒体に予め記憶され上記変換対象データの画質に応じた予測係数に書き換え」るようにすることは、当業者が容易に想到できたことである。
　そして、補正後発明が奏する効果も、当業者が予測できたものである。
　したがって、補正後発明は、刊行物１に記載された発明に基づいて当業者が容易に発明できたものであり、特許法第２９条第２項の規定により、本件出願の特許出願の際独立して特許を受けることができない。
　
　カ．独立特許要件のまとめ
　以上のとおりであるから、本件補正は、平成１８年改正前特許法第１７条の２第５項において準用する同法第１２６条第５項の規定に違反する。
　
（５）補正却下の決定の理由のまとめ
　以上のとおり、平成１７年７月２６日付けの手続補正は、平成１８年改正前特許法第１７条の２第５項において準用する同法第１２６条第５項の規定に違反するので、同法第１５９条第１項の規定において読み替えて準用する同法第５３条第１項の規定により却下すべきものである。 
　よって、補正却下の決定の結論のとおり、決定する。
　
３．本願発明
　平成１７年７月２６日付けの手続補正は却下した。
　したがって、本件出願の請求項１から９に係る発明は、平成１６年１０月２５日付けで補正された特許請求の範囲の請求項１から９に記載されたとおりのものであり、そのうち、請求項１に係る発明（以下、本願発明という）は、次のとおりである。
　
［本願発明］
「第１の画質を有する第１の画像信号を当該第１の画質よりも高画質な画質を有する第２の画像信号にする画像処理装置において、
　上記第２の画像信号中の注目画素の周辺の上記第１の画像信号中の複数画素からなる所定のブロツク毎に空間方向の諧調レベルの分布のパターンを検出し、当該検出パターンに基づいた演算によつて、上記ブロツクが属するクラスを決定してクラス検出情報を出力するクラス検出手段と、
　上記第１の画像信号に含まれない信号画素である上記注目画素を上記第１の画像信号から推定するための予測係数が上記クラス毎に記憶され、上記クラス検出手段からの上記クラス検出情報に応じて、上記予測係数を出力する予測係数記憶手段と、
　上記予測係数記憶手段から出力された上記予測係数と各上記ブロツク内の上記第１の画像信号とを線形結合することで上記注目画素を推定して上記第２の画像信号を形成する予測演算手段と
　を具え、
　上記予測係数記憶手段は、任意読み書き可能なメモリを用いて構成される
　ことを特徴とする画像処理装置。」
　
４．刊行物
　原査定で引用した特開平５−３２８１８５号公報（以下、刊行物１という）には、図面と共に、上記〈補正却下の決定の理由〉（４）独立特許要件イ．刊行物に示した記載がある。
　
５．対比、及び一致点、相違点
　本願発明と刊行物１発明との対比は、補正後発明と刊行物１発明との上記〈補正却下の決定の理由〉（４）独立特許要件ウ．対比を援用する。
　補正後発明と本願発明との関係は、上記〈補正却下の決定の理由〉（１）補正の内容で述べたとおりであるから、本願発明と刊行物１発明との一致点、相違点は次のとおりである。
　
［一致点］
　第１の画質を有する第１の画像信号を当該第１の画質よりも高画質な画質を有する第２の画像信号にする画像処理装置において、
　上記第２の画像信号中の注目画素の周辺の上記第１の画像信号中の複数画素からなる所定のブロツク毎に空間方向の諧調レベルの分布のパターンを検出し、当該検出パターンに基づいた演算によつて、上記ブロツクが属するクラスを決定してクラス検出情報を出力するクラス検出手段と、
　上記第１の画像信号に含まれない信号画素である上記注目画素を上記第１の画像信号から推定するための予測係数が上記クラス毎に記憶され、上記クラス検出手段からの上記クラス検出情報に応じて、上記予測係数を出力する予測係数記憶手段と、
　上記予測係数記憶手段から出力された上記予測係数と各上記ブロツク内の上記第１の画像信号とを線形結合することで上記注目画素を推定して上記第２の画像信号を形成する予測演算手段と
　を具え、
　上記予測係数記憶手段は、読み書き可能なメモリを用いて構成される
　ことを特徴とする画像処理装置。
　
［相違点］
　本願発明では、予測係数記憶手段が「任意」読み書き可能なメモリであることに対し、刊行物１発明は、予測係数記憶手段が読み書き可能なメモリではあるが、「任意」読み書き可能とする構成を有していない点。
　
６．相違点の検討
　上記〈補正却下の決定の理由〉（４）独立特許要件オ．相違点の検討を援用する。
　刊行物１発明の「読み書き可能なメモリ」を「任意」「読み書き可能なメモリ」とすることは、当業者が容易に想到できたことである。
　そして、本願発明が奏する効果も、当業者が予測できたものである。
　したがって、本願発明は、刊行物１に記載された発明に基づいて当業者が容易に発明できたものであり、特許法第２９条第２項の規定により、特許を受けることができない。
　
７．まとめ
　以上のとおりであるから、本件出願の請求項１に係る発明は、刊行物１に記載された発明に基づいて当業者が容易に発明することができたものであって、特許法第２９条第２項の規定により特許を受けることができない。
　それ故、本件出願の他の請求項である請求項２から請求項９について検討するまでもなく、本件出願は拒絶すべきものである。
　よって、結論のとおり審決する。